(57)【特許請求の範囲】
【請求項１】
表目と裏目とからなるリブ組織と、該リブ組織に挿入されたインレイ糸とを有するリブ編地であって、
前記インレイ糸が、リブ組織の隣接する表目と裏目とを接続する渡り糸と交差して前記リブ組織の表裏を渡り、
かつ前記隣接する表目のリブ組織での表側と裏目のリブ組織での裏側とを前記インレイ糸が囲み、リブ組織の表裏両外側にインレイ糸が部分的に露出しているリブ編地。
【請求項２】
前記表目を囲む部分での表目とインレイ糸との摩擦及び前記裏目を囲む部分での裏目とインレイ糸との摩擦とにより、リブ編地の伸縮を抑制すると共に、リブ組織にインレイ糸を拘束するようにしたことを特徴とする、請求項１のリブ編地。
【請求項３】
インレイ糸とリブ組織の編糸とで色彩が異なることを特徴とする、請求項２のリブ編地。
【請求項４】
前記リブ組織が、リブ組織の表側でインレイ糸に囲まれた表目と、リブ組織の裏側でインレイ糸に囲まれた裏目と、さらにインレイ糸に囲まれない表目と裏目、とを備えていることを特徴とする、請求項１のリブ編地。
【請求項５】
インレイ糸に囲まれた表目と裏目との合計の目数と、インレイ糸に囲まれない表目と裏目との合計の目数との割合が、３：１〜１：３であることを特徴とする、請求項４のリブ編地。
【請求項６】
前後一対の対向する針床を備え、かつ横編機の前後間で編目の移動が自在な横編機によりリブ編地を編成する方法であって、
リブ編成によりリブ組織を編成するコースと、
リブ組織の編目の少なくとも一部で、隣接する表目と裏目とを対向する針床へ移動させるコースと、
インレイ糸を挿入するコースと、
前記移動させた隣接する表目と裏目とを元の針床へ移し戻すコース、とを行うことにより、
前記インレイ糸が、前記隣接する表目と裏目とを接続する渡り糸と交差して前記リブ組織の表裏を渡り、かつ前記インレイ糸が前記隣接する表目のリブ組織での表側と裏目のリブ組織での裏側とを囲むことにより、リブ組織の表裏両外側にインレイ糸が部分的に露出しているリブ編地を編成することを特徴とする、リブ編地の編成方法。
【請求項７】
リブ組織の編目の一部のみの編目を対向する針床へ移動して、インレイ糸の挿入後に元の針床へ移し戻し、かつリブ組織の残る表目と残る裏目とを移動しないことにより、
前記リブ組織に、リブ組織の表側でインレイ糸に囲まれた表目と、リブ組織の裏側でインレイ糸に囲まれた裏目と、インレイ糸に囲まれない表目と裏目、とを設けることを特徴とする、請求項６のリブ編地の編成方法。
【請求項８】
前記リブ組織は表目と裏目とからなるコースを複数備え、前記インレイ糸は複数のコースで挿入され、かつ前記コースに直角な方向に、表目が連続して接続された列と、裏目が連続して接続された列とを備えていることを特徴とする、請求項１〜５のいずれかのリブ編地。
【発明の詳細な説明】
【技術分野】
【０００１】
この発明はインレイ糸を挿入することにより伸縮性を抑えたリブ編地に関する。
【背景技術】
【０００２】
リブ編地にインレイ糸を挿入し、ウェール方向（編み始めから編み終わりへの向き）の伸縮性を抑えたものが知られている。例えば特許文献１は、インレイ糸を挿入したリブ編地からなる靴下を提案している。ところでインレイ糸（挿入糸）はリブ編地の中を通してあるだけで、リブの編目に固定したものではない。そこで編地を横方向（編成のコース方向）に引っ張ると、インレイ糸がリブ編目の間から出て目立つようになる。また一度外へ出たインレイ糸は元には戻らないため、見映えが悪い。
【特許文献１】特開２００２−８８５１１号
【発明の開示】
【発明が解決しようとする課題】
【０００３】
この発明の課題は、
1)  インレイ糸によりリブ編地の伸縮性を抑え、
2)  インレイ糸をリブの編目で固定して、編地を引き伸ばしても、インレイ糸がリブの編目に対して移動せず、
3)  インレイ糸が編地の表裏両面に現れてデザイン性の高い、
リブ編地とその編成方法を提供することにある。
【課題を解決するための手段】
【０００４】
この発明のリブ編地は、表目と裏目とからなるリブ組織と、該リブ組織に挿入されたインレイ糸とを有するリブ編地であって、前記インレイ糸が、リブ組織の隣接する表目と裏目とを接続する渡り糸と交差して前記リブ組織の表裏を渡り、かつ前記隣接する表目のリブ組織での表側と裏目のリブ組織での裏側とを前記インレイ糸が囲み、リブ組織の表裏両外側にインレイ糸が部分的に露出している。
【０００５】
好ましくは、前記表目を囲む部分での表目とインレイ糸との摩擦及び前記裏目を囲む部分での裏目とインレイ糸との摩擦とにより、リブ編地の伸縮を抑制すると共に、リブ組織にインレイ糸を拘束する。
また好ましくは、インレイ糸とリブ組織の編糸とで色彩が異なる。【０００６】
好ましくは、前記リブ組織が、リブ組織の表側でインレイ糸に囲まれた表目と、リブ組織の裏側でインレイ糸に囲まれた裏目と、さらにインレイ糸に囲まれない表目と裏目、とを備えている。
特に好ましくは、インレイ糸に囲まれた表目と裏目との合計の目数と、インレイ糸に囲まれない表目と裏目との合計の目数との割合が、３：１〜１：３である。
さらに好ましくは、前記リブ組織は表目と裏目とからなるコースを複数備え、前記インレイ糸は複数のコースで挿入され、かつ前記コースに直角な方向に、表目が連続して接続された列と、裏目が連続して接続された列とを備えている。
【０００７】
この発明のリブ編地の編成方法は、前後一対の対向する針床を備え、かつ横編機の前後間で編目の移動が自在な横編機によりリブ編地を編成する方法であって、リブ編成によりリブ組織を編成するコースと、リブ組織の編目の少なくとも一部で、隣接する表目と裏目とを対向する針床へ移動させるコースと、インレイ糸を挿入するコースと、前記移動させた隣接する表目と裏目とを元の針床へ移し戻すコース、とを行うことにより、前記インレイ糸が、前記隣接する表目と裏目とを接続する渡り糸と交差して前記リブ組織の表裏を渡り、かつ前記インレイ糸が前記隣接する表目のリブ組織での表側と裏目のリブ組織での裏側とを囲むことにより、リブ組織の表裏両外側にインレイ糸が部分的に露出しているリブ編地を編成することを特徴とする。
【０００８】
好ましくは、リブ組織の編目の一部のみの編目を対向する針床へ移動して、インレイ糸の挿入後に元の針床へ移し戻し、かつリブ組織の残る表目と残る裏目とを移動しないことにより、前記リブ組織に、リブ組織の表側でインレイ糸に囲まれた表目と、リブ組織の裏側でインレイ糸に囲まれた裏目と、インレイ糸に囲まれない表目と裏目、とを設ける。【０００９】
この明細書において、コースは横編機での一連の編成操作で、キャリッジを備えた横編機の場合、１コースがキャリッジの１回の移動に対応することもあり、また複数のコースがキャリッジの１回の移動に対応することもある。さらにキャリッジのコースは、キャリッジの１回の移動をいう。コース方向は編目が横方向につながった列を意味し、ウェール方向はこれに直角な方向を意味する。【００１０】
リブ編地について１×１，２×３等の表記は、表目１目と裏目１とのパターンが繰り返すこと（１×１のリブ）や、表目２目と裏目３目とが繰り返すこと（２×３のリブ）を意味する。
リブ組織は表目の面と裏目の面とが対向しているものと考えることが出来る。そこで表目の面と裏目の面との間を、リブ組織やリブ編地の内側と呼び、それ以外の面をリブ組織やリブ編地の表面、あるいは外側などと呼ぶ。インレイ糸が編目を囲むとは、編地の表面で、表目や裏目の外側をインレイ糸が通過することである。インレイ糸はこの周囲で編地の内部を通過するので、インレイ糸と囲まれた編目との間に摩擦力が働く。【００１１】
この明細書において、リブ編地に関する記載はリブ編地の編成方法にもそのまま当てはまり、逆にリブ編地の編成方法に関する記載はリブ編地にもそのまま当てはまる。第１の実施例に関する記載は、特に指摘した点以外は、他の実施例や変形例にもそのまま当てはまる。編目を針床間で移動させるために、実施例では主として目移しを用いるが、目移しに代えてホールディング（日本特許２９４６３２５，ＵＳＰ６０４７５６９）等を用いても良い。また針床間で編目を移動させる代わりに、針床とトランスファージャックベッド（日本特許３４０８７３５号，ＥＰ９２４３２７Ｂ）との間で編目を移動させても良い。即ち、針床間の歯口を通過するように、編目を横編機の前後方向に移動させれば良い。さらに目移しとホールディング等の他の編目移動を区別せず、これらの全体を目移しということがある。
【発明の効果】
【００１２】
この発明では、インレイ糸はリブ編地の隣り合った表目と裏目間の渡り糸と交差してしてリブ組織の表裏に渡り、前記交差位置の両側で隣接した表目と裏目とを囲む。そしてインレイ糸は、前記隣接した表目や裏目との摩擦でリブ組織に拘束される。このためリブ編地を引き伸ばしても、インレイ糸はリブ組織から浮いたりせずに、リブ組織と一体のままである。またインレイ糸によって囲まれたリブ組織の表目や裏目は移動が制限され、伸縮性が抑えられた編地となる。しかもリブ組織のため平編地に比べて厚みがあり、しっかりした感触の編地となる。インレイ糸は編地の表裏に出現し、またリブ組織は元々リバーシブルなので、編地の裏面が見える個所にも使用可能である。さらにインレイ糸をリブ組織の糸と色彩を変え、例えばラメ糸などの装飾性の高い糸をインレイ糸として用いると、デザイン性の高い編地が得られる。【００１３】
インレイ糸が囲む編目の数とインレイ糸が囲まない編目の数との割合でリブ編地の伸縮性が定まり、インレイ糸が囲む編目の割合が高いほど伸縮性が抑えられて柔軟な厚手の布帛に近い性質を示し、インレイ糸が囲まない編目の割合が高いほど伸縮性が増す。例えばリブ編地のほぼ全編目をインレイ糸が囲むと形態安定性が増して、しっかりした編地となり、衣類の全体に用いると良い。この割合を３：１〜１：３，好ましくは２：１〜１：２，特に好ましくはほぼ１：１とすると、全編目をインレイ糸が囲む場合よりも厚く伸縮性があり、カーディガンの前立て、パンツやスカートのウェスト、襟などに適した編地となる。この場合、インレイ糸に囲まれた編目と囲まれない編目とが鹿の子状に現れる。【００１４】
この発明では、リブ組織の編地の少なくとも一部で、隣接する表目と裏目とを横編機の前後方向に移動させ、インレイ糸を挿入し、次いで移動させた編目を移し戻す。移動させた編目に対して、インレイ糸は表目と裏目との間ではなく編目の外側を通る。そして編目を移し戻すと、インレイ糸が移動させた表目と裏目とを囲むことになる。
【図面の簡単な説明】
【００１５】
【図１】第１の実施例での編成方法を示す図
【図２】第１の実施例で編成した編地を示す図
【図３】第１の実施例でのリブ編目とインレイ糸との配置を模式的に示す図
【図４】第１の実施例の編目構造の表記を示す図
【図５】従来例のリブ編地の伸縮モデルを示す図
【図６】第２の実施例の編成方法を示す図
【図７】第２の実施例の編目構造を示す図
【図８】変形例の編成方法を示す図
【図９】第３の実施例の編成方法を示す図
【図１０】第３の実施例の編目構造を示す図
【図１１】実施例での編地の伸縮モデルを示す図
【符号の説明】
【００１６】
２，２２，３２，４２：  リブ編地    ４：  表目ウェール    ５：  表目
６：  裏目ウェール    ７：  裏目    ８：  渡り糸    １０：  インレイ糸
１１，１２：  露出部    １３，１４：  渡り糸
１５：  インレイ糸に囲まれない表目    １７：  インレイ糸に囲まれない裏目
２５：  インレイ糸に囲まれた表目    ２７：  インレイ糸に囲まれた裏目
３０：  リブ組織の左端の編目    ３０ｆ，ｂ：  ホールディングする編目  
Ｓ１，Ｓ１１，Ｓ１５：  リブニット    Ｓ２，Ｓ１２，Ｓ１６：  目移し
Ｓ３，Ｓ１３，Ｓ１７：  インレイ      Ｓ４，Ｓ１４，Ｓ１８：  目移し
Ｓ２１，Ｓ２７：  リブニット          Ｓ２２，Ｓ２８：  ホールディング
Ｓ２３，Ｓ２９：  ホールディング      Ｓ２４，Ｓ３０：  インレイ
Ｓ２５，Ｓ３１：  ホールディングの解除    
Ｓ２６，Ｓ３２：  ホールディングの解除
Ｓ４２，Ｓ４７：  リブニット    Ｓ４１，Ｓ４５，Ｓ４６：  目移し
Ｓ４４，Ｓ４９：  インレイ      Ｓ４６，Ｓ４８，Ｓ５０：  目移し
【発明を実施するための最良の形態】
【００１７】
以下に本発明を実施するための最適実施例を示す。
【実施例】
【００１８】
図１〜図１１に、実施例とその変形とを示す。図１〜図４に第１の実施例を示し、リブ編地の編成には前後一対の針床を備えて、針床間での目移しが自在な横編機を用いる。編成操作はキャリッジで針床の針を操作することにより行うが、針床の各針毎にリニアモータを設けて、針を操作しても良い。図１の編み組織は１×１のリブで、カーディガンなどの前立てを想定し、左端の平編みの部分は前立ての端部の組織である。ステップ１で例えば１コースリブ編みし、ステップ２でリブ組織の両端部を除いて、表裏の各編目を対向する針床へ目移しする。次いでステップ３でインレイ糸を挿入し、例えば前立ての右端の部分でリブの編目にタックするなどにより固定する。次いでステップ４で、目移しした編目を元の針床へと移し戻す。これを繰り返すことによって図２〜図４に示すリブ編地２が得られる。【００１９】
４は表目ウェール、６は裏目ウェールで、５は個々の表目、７は個々の裏目で、８は表目５と裏目７との間の渡り糸である。１０はインレイ糸で、表目５の外側と裏目７の外側を通過し、露出部１１，１２のように表目５と裏目７の外側を囲み、これらの間を渡り糸１３でつないでいる。リブ編地２では図３に示すように、表目５の集合からなる面と裏目７の集合からなる面とが近づき、リブ編地としては薄い編地となる。表目５や裏目７はインレイ糸１０の露出部１１，１２と接触してこの間に摩擦が働くので、伸縮が抑えられ平編時よりやや厚手のしっかりした編地となる。さらにリブ編地２は表裏対称である。【００２０】
図５に従来例の１×１のリブ編地を示す。表目５の面と裏目７の面は離れており、図３のリブ編地２に比べて厚みがある。そして渡り糸８の変形により、編目５，７のピッチが変化し、図５の下部のように引き伸ばすことができ伸縮性がある。これに対して実施例のリブ編地２では、編目５，７間のピッチはインレイ糸１０によりほぼ一定に保たれ、布帛に近い性質が生じる。図３のリブ編地２を簡単のため図４のように示す。以下インレイ糸１０を破線で示し、インレイ糸１０が表目５や裏目７を囲んでいるように表している部分は、インレイ糸１０が表目５，裏目７の外側を通過する部分である。【００２１】
図６，図７に、１×１のリブ組織の表目と裏目の約１／２ずつをインレイ糸で囲むようにした実施例を示す。図６のステップ１１で１コースリブ編みし、ステップ１２で目移しする。この時リブ編目の約１／２を目移しし、ステップ１３でインレイ糸を挿入し、ステップ１４で移し戻す。なお隣接する表目と裏目とが各々インレイ糸で囲まれるように、隣接する表目と裏目とを目移しする。ステップ１５〜ステップ１８で、ステップ１１〜ステップ１４と同様の処理を行うが、目移しする編目２５，２７と目移ししない編目１５，１７をステップ１１〜ステップ１４とは逆にする。これによって例えば１コース毎にインレイ糸で囲まれる編目２５，２７と囲まれない編目１５，１７とが反転し、リブ編地の外観が鹿の子状になる。得られたリブ編地を図７に示し、１５はインレイ糸に囲まれない表目、１７はインレイ糸に囲まれない裏目で、２５はインレイ糸に囲まれた表目、２７はインレイ糸に囲まれた裏目である。１４は編目１５，１７間を通過する渡り糸である。なお図４，図７では、編地２，２２をコース方向断面に沿って表示しているので、渡り糸１３．１４と渡り糸８とが同じ高さで交差して見えるが、実際にはこの間に高さの差がある。【００２２】
図８に、目移しに代えてホールディングを用いた、総針によるリブ編地の変形例を示す。ホールディングでは編針として、フックを備えて針本体とタングを備えたスライダとからなる複合針を用い、フックで編目を保持している複合針がタングで別の編目を仮置きすることをホールディングという。図８のステップ２１，２７で黒丸を付けた編目はホールディングにより仮置きする編目である。【００２３】
ステップ２１で例えば１コースリブ編みし、ステップ２２，ステップ２３でホールディングし、この時、隣接する表目３０ｆと裏目３０ｂとの対をホールディングする。ステップ２４でインレイ糸を挿入する。次いでステップ２５，ステップ２６でホールディングを解除して、元の針へ編目を移動させる。この結果、リブ編み部分の左端の編目３０よりも右側では、例えば４目に１目の割合でインレイ糸で囲まれた編目２５，２７を持つリブ組織が得られる。またインレイ糸１０で囲まれているのは、隣接する表目２５と裏目２７とである。インレイ糸１０で囲まれる編目の位置を変化させて同様の編成を行う。例えばステップ２８〜ステップ３２を行い、ここではステップ２１〜ステップ２６と、インレイ糸で囲まれる編目２５，２７の位置を２目分シフトさせる。４目に１目の割合で編目２５，２７をインレイ糸で囲むので、インレイ糸で囲む編目２５，２７の位置を変えて、ステップ２１〜ステップ２６と同様の編成を４回繰り返して１周期とすると、インレイ糸で囲まれる編目２５，２７をリブ編地に均等に分布させることができる。【００２４】
図９，図１０に筒編みに関する実施例を示し、ここでは１×１のリブ編地のほぼ全ての編目２５，２７をインレイ糸で囲むようにしてある。横編機として例えば前後それぞれ上下２枚の針床を備えた４枚ベッドの横編機を用い、ステップ４１〜ステップ４５で後編地を編成する。ステップ４１で後下針床から前上針床へ編目を移動し、ステップ４２で１コースリブ編成し、ステップ４３で後下針床と前上針床間の目移しを行い、ステップ４４でインレイ糸を挿入し、ステップ４５で前上針床から後下針床への目移しを行う。ステップ４６〜ステップ５０で前編地に対して同様の処理を行うと、図９のリブ編地３２’が得られる。これと同様のリブ編地３２を図１０に示す。伸縮性が抑えられ、薄くしっかりしたリブ編地となるので、例えば無縫製衣料の編成で、基本組織として用いることができる。【００２５】
図１１に編地の伸縮モデルを示す。針床上で編成している際の編地の幅（編幅）を基準として、仕上げ後の編地の幅を示し、編幅からの収縮が著しいほど、編地は引き伸ばしやすい。平編地では図１１の第２段に示すようにやや収縮する。平編地に対して実施例のリブ編地２と類似のようにインレイ糸で編目を囲むと、元々伸縮性が抑えられている編地をさらにかたくした編地となる。図１〜図４のリブ編地の場合、ほぼ全ての編目をインレイ糸で囲むので、伸縮性が抑えられる。図７のように、インレイ糸で囲む編目２５，２７と囲まない編目１５，１７とを設けると伸縮性が増す。インレイ糸を用いない従来例のリブ編地では、針床上の編み幅から完成品の幅が著しく縮んで、さらに大きな伸縮性が残る。【００２６】
実施例では以下の効果が得られる。
1)  インレイ糸がリブの隣接する表目や裏目を囲むことにより、インレイ糸はリブ組織に強く拘束され、リブ組織の伸びを抑えることができる。またインレイ糸がリブ組織の間から出てきたりすることがない。
2)  得られるリブ編地は通常のリブ編地と布帛との中間の性質を持ち、インレイ糸で囲む編目２５，２７の数と囲まない編目１５，１７の数との割合により伸縮性を調整でき、また編地の厚さも調整できる。そして在来の平編地に比べると厚みがあるのでしっかりした感触となる。
3)  リブ編地は、表裏何れの側も外から見える個所に使用できる。
4)  インレイ糸とリブ組織との編み糸の種類を変え、特に色彩を変えると、デザイン性の高い編地が得られる。この場合、リブ組織の編目の一部のみをインレイ糸が囲むようにすると、鹿子状の外観が得られる。
【図１】
0004848372.tif 000002
【図２】
0004848372.tif 000003
【図３】
0004848372.tif 000004
【図４】
0004848372.tif 000005
【図５】
0004848372.tif 000006
【図６】
0004848372.tif 000007
【図７】
0004848372.tif 000008
【図８】
0004848372.tif 000009
【図９】
0004848372.tif 000010
【図１０】
0004848372.tif 000011
【図１１】
0004848372.tif 000012